(57)【要約】【課題】改善された人間−機械インタフェースおよび機械−機械インタフェースを提供する。【解決手段】システムは、少なくとも一部分の電極を形成する第１の導電性構造体を含むインタフェースであって、電気信号または電気を伝えるための装置に結合されるように構成されているインタフェースと、第１の導電性構造体に結合されているタッチセンサであって、触れられている電極の可変電気的特性の値に一致する値を電極の可変電気的特性が有するか否かについて決定を行うように構成されているタッチセンサと、出力デバイスであって、触れられている電極の可変電気的特性の値に一致する値を可変電気的特性が有するという決定に応答して人間知覚可能指標を生成する出力デバイスとを備える。【選択図】図６
2014174996.tif 000002
【特許請求の範囲】
【請求項１】
少なくとも一部分の電極を形成する第１の導電性構造体を含むインタフェースであって、電気信号または電気を伝えるための装置に結合されるように構成されている、インタフェースと、
前記第１の導電性構造体に結合されているタッチセンサであって、触れられている前記電極の可変電気的特性の値に一致する値を該電極の可変電気的特性が有するか否かについて決定を行うように構成されている、タッチセンサと、
出力デバイスであって、触れられている前記電極の可変電気的特性の値に一致する値を該可変電気的特性が有するという決定に応答して人間知覚可能指標を生成する、出力デバイスとを備える、システム。
【請求項２】
前記第１の導電性構造体は、シールド構造体、信号コネクタ、電源コネクタ、およびグランドコネクタから選択される、請求項１に記載のシステム。
【請求項３】
前記インタフェースはケーブルまたはコードに接続されるように構成されており、前記電極は、前記第１の導電性構造体と、前記ケーブルまたはコードの一部分を形成する導電性拡張構造体とを備える、請求項１に記載のシステム。
【請求項４】
前記第１の導電性構造体は前記インタフェースのシールド構造体を含み、前記導電性拡張構造体は前記ケーブルのシールド構成要素を含む、請求項３に記載のシステム。
【請求項５】
前記第１の導電性構造体は前記インタフェースのピンコネクタを含み、前記導電性拡張構造体は前記ピンコネクタに接続される前記ケーブルの導体を含む、請求項３に記載のシステム。
【請求項６】
前記第１の導電性構造体は前記インタフェースの他の部分に近接して位置している、請求項１に記載のシステム。
【請求項７】
前記第１の導電性構造体は、前記インタフェースの前記他の部分を少なくとも部分的に取り囲んでいる、請求項６に記載のシステム。
【請求項８】
前記インタフェースは、同軸ケーブルコネクタ、シールド・ケーブル・コネクタ、ＨＤＭＩ（登録商標）ケーブルコネクタ、ユニバーサル・シリアル・バス（ＵＳＢ）ポート、オーディオ／ビデオ・ケーブル・コネクタ、デジタル・ビジュアル・インタフェース（ＤＶＩ）ケーブルコネクタ、シリアルポート、パラレルポート、周辺ポート、ヘッドフォンコネクタ、マイクロフォンコネクタ、イーサネット（登録商標）コネクタ、電源コードコネクタ、およびカードスロットから選択される、請求項１に記載のシステム。
【請求項９】
前記電極は、同軸ケーブル、シールドケーブル、ＨＤＭＩ（登録商標）ケーブル、ＵＳＢケーブル、ＵＳＢデータ記憶デバイス、オーディオ／ビデオケーブル、ＤＶＩケーブル、イーサネット（登録商標）ケーブル、ヘッドフォンコード、マイクロフォンコード、電源コード、およびデータカードの一部分を形成する導電性拡張構造体をさらに含む、請求項８に記載のシステム。
【請求項１０】
前記出力デバイスはディスプレイデバイスを備え、前記人間知覚可能指標は前記インタフェースの識別子の表示指標を含む、請求項１に記載のシステム。
【請求項１１】
前記人間知覚可能指標は、前記インタフェースの前記識別子を示す表示アイコンを含む、請求項１０に記載のシステム。
【請求項１２】
前記人間知覚可能指標は、前記インタフェースの前記識別子を示す表示テキストを含む、請求項１０に記載のシステム。
【請求項１３】
前記出力デバイスは、ディスプレイデバイス、スピーカ、振動デバイス、および照明から選択される、請求項１に記載のシステム。
【請求項１４】
システムであって、
複数のインタフェースであって、該複数のインタフェースの各インタフェースは、少なくとも一部分の電極を形成する第１の導電性構造体を含む、複数のインタフェースと、
前記複数のインタフェースの導電性構造体に結合されている１つ以上のタッチセンサであって、触れられている前記電極の電気的特性に一致する値を該電極各々の可変電気的特性が有するか否かを決定する、１つ以上のタッチセンサと、
出力デバイスであって、該出力デバイスは、触れられている特定の電極の電気的特性に一致する値を該特定の電極の前記可変電気的特性が有するという決定に応答して人間知覚可能指標を生成し、該人間知覚可能指標は、前記特定の電極に関連付けられているインタフェースの識別子を含む、出力デバイスと、を備える、システム。
【請求項１５】
前記インタフェースは、電気信号または電気を伝えるための装置に結合されるように構成されている機械−機械インタフェースである、請求項１４に記載のシステム。
【請求項１６】
前記インタフェースは、同軸ケーブルコネクタ、シールド・ケーブル・コネクタ、ＨＤＭＩ（登録商標）ケーブルコネクタ、ユニバーサル・シリアル・バス（ＵＳＢ）ポート、オーディオ／ビデオ・ケーブル・コネクタ、デジタル・ビジュアル・インタフェース（ＤＶＩ）ケーブルコネクタ、シリアルポート、パラレルポート、周辺ポート、ヘッドフォンコネクタ、マイクロフォンコネクタ、イーサネット（登録商標）コネクタ、電源コードコネクタ、およびカードスロットから選択される、請求項１５に記載のシステム。
【請求項１７】
前記インタフェースは、ボタン、スイッチ、ダイヤル、および、人間であるユーザによって物理的に操作されることができる他の構成要素から選択される人間−機械インタフェースである、請求項１４に記載のシステム。
【請求項１８】
タッチセンサと、出力デバイスと、電気信号または電気を伝えるための装置に結合されるように構成されているインタフェースとを含むデバイスにおいて実施される方法であって、
前記タッチセンサによって、触れられている電極の電気的特性に一致する値を該電極の可変電気的特性が有するか否かを決定するステップであって、前記電極は、前記デバイスの前記インタフェース内に含まれている第１の導電性構造体を含む、決定するステップと、
前記出力デバイスによって、触れられている前記電極と一致する前記値を前記可変電気的特性が有するという決定に応答して人間知覚可能指標を生成するステップと、を備える、方法。
【請求項１９】
触れられている前記電極の電気的特性に一致する前記値を前記電極の前記可変電気的特性が有するか否かを決定するステップは、
前記タッチセンサによって、前記電極を充電するために充電処理を実行するステップと、
前記タッチセンサによって、前記電極の電圧を測定するために測定処理を実行するステップと、
触れられている前記電極の電気的特性に一致する値を前記電圧が有するか否かを決定するために前記電圧を分析するステップと、を備える、請求項１８に記載の方法。
【請求項２０】
触れられている前記電極の電気的特性と一致する値を前記可変電気的特性が有するという前記決定が行われると、前記タッチセンサによって、前記デバイスの処理システムに情報を提供するステップであって、該情報は前記インタフェースの識別子を示す、提供するステップと、
前記処理システムが、前記出力デバイスによって前記人間知覚可能指標が生成されるようにするステップと、をさらに備え、
前記人間知覚可能指標は、前記インタフェースが触れられていることを示す表示テキスト、前記インタフェースを表す表示アイコン、前記インタフェースが触れられていることを示す可聴音声、他の可聴指示、前記デバイスの振動、および照明光から選択される指標を含む、請求項１８に記載の方法。
【発明の詳細な説明】
【技術分野】
【０００１】
実施形態は、概してタッチセンサ、機械（マシン）−機械インタフェース、および人間（ヒューマン）−機械インタフェースに関する。
【背景技術】
【０００２】
一般的な消費者用または産業用デバイスは、デバイスおよび人間、または他の電子デバイス間の対話を容易にする多数の人間−機械および／または機械−機械インタフェースを含み得る。たとえば、従来のテレビ受像機は、ユーザがチャネル、音量設定、入力などを変更することを可能にするいくつかのボタンとともに、１つ以上の高精細度マルチメディアインタフェース（ＨＤＭＩ（登録商標））、ユニバーサル・シリアル・バス（ＵＳＢ）ポート、オーディオ／ビデオ・ケーブル・インタフェース、およびデジタル・ビジュアル・インタフェース（ＤＶＩ）コネクタを含む場合がある。
【発明の概要】
【発明が解決しようとする課題】
【０００３】
経験に乏しいユーザにとって、そのようなデバイスとの対話および／またはデバイスを他の部品に接続することは、分かりにくく苛立たしい経験であり得る。加えて、直感的なユーザインタフェースならびに単純なデバイス設定および制御手順が好まれる傾向が一層高まっていることから、改善された人間−機械インタフェースおよび機械−機械インタフェースが所望されている。
【課題を解決するための手段】
【０００４】
上記問題点を解決するために、システムの実施形態は、インタフェースと、タッチセンサと、出力デバイスとを含む。インタフェースは、少なくとも一部分の電極を形成する第１の導電性構造体を含み、インタフェースは、電気信号または電気を伝えるための装置に結合されるように構成されている。タッチセンサは第１の導電性構造体に結合されており、タッチセンサは、触れられている電極の電気的特性に一致する値を電極の可変電気的特性が有するか否かについて決定を行うように構成されている。出力デバイスは、触れられている電極の電気的特性に一致する値を可変電気的特性が有するという決定に応答して人間知覚可能指標を生成する。
【０００５】
システムの他の実施形態は、複数のインタフェースと、１つ以上のタッチセンサと、出力デバイスとを含む。複数のインタフェースの各インタフェースは、少なくとも一部分の電極を形成する第１の導電性構造体を含む。１つ以上のタッチセンサは複数のインタフェースの導電性構造体に結合されており、１つ以上のタッチセンサは、触れられている電極の電気的特性に一致する値を各電極の可変電気的特性が有するか否かを決定する。出力デバイスは、触れられている特定の電極の電気的特性に一致する値を特定の電極の可変電気的特性が有するという決定に応答して人間知覚可能指標を生成し、人間知覚可能指標は、特定の電極に関連付けられているインタフェースの識別子を含む。
【０００６】
タッチセンサと、出力デバイスと、電気信号または電気を伝えるための装置に結合されるように構成されているインタフェースとを含むデバイスにおいて方法の一実施形態が実施される。方法は、タッチセンサによって、触れられている電極の電気的特性に一致する値を電極の可変電気的特性が有するか否かを決定するステップを含み、電極は、デバイスのインタフェース内に含まれている第１の導電性構造体を含む。方法は、出力デバイスによって、触れられている電極の電気的特性に一致する値を可変電気的特性が有するという決定に応答して人間知覚可能指標を生成するステップも含む。
【図面の簡単な説明】
【０００７】
【図１】一実施形態に応じた、１つ以上の電極搭載インタフェースを含むデバイスの一例の正面図。
【図２】別の例の実施形態に応じた、１つ以上の電極搭載インタフェースを含むデバイスの他の例の背面図。
【図３】図２のデバイスの正面図。
【図４】一実施形態に応じた、電極搭載インタフェースであって、該電極搭載インタフェースは電極を備えており、該電極は他の部分を取り囲む、電極搭載インタフェースを示す図。
【図５】一実施形態に応じた、複数の電極搭載インタフェースと、該インタフェースのうちの１つ以上が触れられているという人間知覚可能指標を生成するための機能とを有するシステムの簡略ブロック図。
【図６】一例実施形態に応じた、電極搭載インタフェースが触れられている可能性があるか否かを検知して、検知されたタッチ状態の人間知覚可能指標を生成するための方法のフローチャート。
【発明を実施するための形態】
【０００８】
本明細書において使用される場合、「デバイスインタフェース」という用語は、電子デバイスの人間−機械インタフェースまたは機械−機械インタフェースを意味し、その少なくとも一部分は、デバイスの外部においてアクセス可能である（たとえば、インタフェースはデバイス筐体の外部に露出した部分を有する）。「人間−機械インタフェース」という用語は、デバイスと人間であるユーザが対話することを可能にするためのそのデバイスの任意の構造体またはサブシステムを意味しており、対話することにはデバイスの機能に影響を与え得る指、手、スタイラス、または他の装置を通じて制御入力を提供することが含まれる。たとえば、限定を目的とはしないが、人間−機械インタフェースは、人間であるユーザによって物理的に操作され得るボタン、スイッチ、ダイヤル、およびデバイスの他の構成要素を含んでもよい。たとえば、人間−機械インタフェースは、とりわけデバイス電力、音量、動作モード（たとえば、スリープモード、作動モード、サイレントモード、振動モード）、メニューまたはカーソル表示、およびデバイス動作（たとえば、写真撮影、録音および／または録画の開始／終了、アプリケーションの起動または停止、実行中のソフトウェアへの入力の提供）をユーザが制御することを可能にするように設計されてもよい。
【０００９】
「機械−機械」インタフェースという用語は、他のデバイス、電子部品、コンピュータ、および／またはネットワークとデバイスが通信（データまたは他の信号の送信および／または受信）することを可能にするためのデバイスの任意の構造体またはサブスシステムを意味する。「機械−機械」インタフェースという用語は、電源（たとえば、電力網または電池）、電圧基準、またはグランド基準にデバイスが接続することを可能にするデバイスの任意の構造体またはサブスシステムも意味する。たとえば、限定を目的とはしないが、機械−機械インタフェースは、さまざまなコネクタ（たとえば、同軸ケーブルコネクタ、シールド・ケーブル・コネクタ、高精細度マルチメディアインタフェース（ＨＤＭＩ（登録商標））ケーブルコネクタ、オーディオ／ビデオ・ケーブル・コネクタ、デジタル・ビジュアル・インタフェース（ＤＶＩ）ケーブルコネクタ、ヘッドフォンコネクタ、マイクロフォンコネクタ、イーサネット（登録商標）コネクタ、電源コードコネクタ）、ポート（たとえば、ユニバーサル・シリアル・バス（ＵＳＢ）ポート、シリアルポート、パラレルポート、周辺ポート）、カードスロット、および他のタイプのインタフェース（たとえば、赤外線受信器、光インタフェースなど）など、デバイスの一部として統合されるサブシステムの部分を含んでもよい。さまざまな実施形態に応じて、機械−機械インタフェースは、通信信号もしくは電気信号（たとえば、情報を伝える信号、アナログまたはデジタル信号、クロック信号、制御信号）または電気（たとえば、電源（たとえば、電力網もしくは電池）からの電流および／または電圧、電圧基準、またはグランド基準）のための装置に結合されるように構成される。たとえば、限定を目的とはしないが、機械−機械インタフェースは、ケーブルまたはコード（たとえば、同軸ケーブル、シールドケーブル、ＨＤＭＩケーブル、オーディオ／ビデオケーブル、ＤＶＩケーブル、ＵＳＢケーブル、ヘッドフォンコード、マイクロフォンコード、イーサネット（登録商標）ケーブル、電源コード）、データ記憶デバイス（たとえば、ＵＳＢデータ記憶デバイス、データカード）、および他のタイプの装置に結合されるように構成されてもよい。
【００１０】
下記により詳細に説明するように、本明細書に記載の実施形態は、デバイスに対するシステムおよび方法であって、特定のデバイスインタフェースに関連付けられている電極が触れられている（たとえば、人間であるユーザによって）可能性があることを決定し、その決定に応答して人間知覚可能指示を生成するためのシステムおよび方法を含む。下記の記載において、「インタフェースに関連付けられている電極が触れられているか否かの決定」、または類似の動作が言及され得る。そのような言及とは、電極が人間の手によって触れられているときに存在する特性に電極の電気的特性が一致するか否かについて（たとえば、デバイスによって）決定が行われることを意味するように解釈されるべきであることを理解されたい。いくつかの場合において、人間の手によって触れられている電極の電気的特性に一致する特性は、人間による接触（タッチ）が存在しないとき（たとえば、インタフェースが他の何らかによって触れられているとき、電気的干渉または磁気的干渉が存在するときなど）に存在してもよい。したがって、人間によるタッチが実際に存在することは、さまざまな実施形態が機能するために要求されない場合がある。電極が触れられていることへの任意の言及は、実施形態が実施されるために人間によるタッチが必須であることを意味するように解釈されるべきではない。
【００１１】
加えて、いくつかの構成の電極の電気的特性は、電極を構成する実際の導電性構造体を被覆する絶縁体を通じて電極の一部分が「触れられる」ときに影響を受けてもよい。したがって、本明細書において「タッチ」という用語が使用されている場合、これは、絶縁体を通じた電極との直接の接触、および隣接面接触の両方を意味する。基本的に、電気的特徴、すなわち触れられている電極または電極を被覆する絶縁体の特性を生成する任意の動作が、用語「タッチ」が本明細書において使用される場合のその定義の範囲内に入るものとみなされる。
【００１２】
一実施形態によれば、システム（たとえば、デバイス）は、１つ以上のタッチセンサ式デバイスインタフェース、デバイスインタフェースに結合されている１つ以上のタッチセンサ、および１つ以上の出力デバイスを含む。各タッチセンサ式デバイスインタフェースは、電極として機能するために適した導電性構造体を含み、それゆえ、そのようなインタフェースは本明細書において代替的に「電極搭載インタフェース」と称する場合がある。タッチセンサは各インタフェースの導電性構造体に結合されており、タッチセンサは、（たとえば、人間であるユーザによって）触れられているインタフェースの電気的特性にインタフェースの可変電気的特性が一致するか否かについて決定を行うように構成されている。触れられているインタフェースの電気的特性に可変電気的特性が一致するとき、タッチセンサは、インタフェースに関連付けられている電極が「タッチ状態」（すなわち、触れられている状態）にあることを示す信号を生成してもよい。次いで、タッチ状態信号は（たとえば、デバイスの処理システムによって）処理されてもよく、出力デバイスはタッチ状態信号に応答して人間知覚可能指標を生成するように制御されてもよい。さまざまなタイプのタッチセンサがシステムに実装されてもよい。
【００１３】
図１は、一例の実施形態に応じた、デバイス筐体１０２の外部に露出した１つ以上の電極搭載インタフェース１１０、１１１、１１２、１１３、１１４、１１５を含むデバイス１００の一例の正面図を示す。加えて、デバイス１００の示されている外観図には図示されていないが、デバイス１００は、インタフェース１１０〜１１５に結合されている１つ以上のタッチセンサ、および、該タッチセンサによって生成される信号を処理する処理システムも含む。タッチセンサから受信される信号に基づいて、処理システムは、インタフェース１１０〜１１５のうちの１つ以上が触れられていることの指示（たとえば、指示１２２）を出力デバイス（たとえば、ディスプレイ１２０）に生成させてもよい。
【００１４】
示されている実施形態において、デバイス１００は、電源ボタン１１０、ヘッドフォンコネクタ（ジャック）１１１、音量アップボタン１１２、音量ダウンボタン１１３、モードスイッチ１１４、およびディスプレイ電源ボタン１１５を含む。インタフェース１１０〜１１５の各々は、電極として機能し得る１つ以上の導電性構造体を各インタフェース１１０〜１１５が含むという点において「電極搭載」インタフェースである。さまざまな実施形態において、電極搭載インタフェースの導電性構造体は、インタフェース内に完全に収容されてもよく（たとえば、導電性構造体がボタン、スイッチ、ダイヤル、もしくは他の構成要素内に含まれてもよく、またはその一部分を形成してもよい）、またはインタフェースに物理的かつ電気的に結合されてもよく（たとえば、インタフェースに接続されてその一部分を形成するケーブル内に導電性構造体が含まれてもよい）、またはインタフェースの一部分に近接してもよい（たとえば、導電性構造体はボタン、スイッチ、ダイヤル、コネクタ、もしくはスロットなどを取り囲んでもよく、またはそれらに隣接して位置してもよい）。一実施形態によれば、導電性構造体がインタフェースの一部分に「近接する」とみなされるためには、人間であるユーザが自身の指でインタフェースのその部分に触れようとした場合に、ユーザがインタフェースのその部分に近接している導電性構造体にも触れる可能性がある程度に、インタフェースのその部分からおよそ標準的な指先の幅未満の距離内に導電性構造体が位置する。
【００１５】
たとえば、自身の指先１３０によって、人間であるユーザはデバイス１００の音量アップボタン１１２に触れてもよい。一実施形態に応じて、音量アップボタン１１２は、電極として使用するために適した導電性構造体を含んでもよく、デバイス１００内に存在し導電性構造体に結合されているタッチセンサは、導電性構造体の可変電気的特性（たとえば、キャパシタンス、インダクタンス、抵抗、磁場など）を検知してもよい。検知された電気的特性がタッチの特性であるとき、センサは、タッチ状態を示す信号をデバイス１００の処理システムに送信してもよい。次いで、処理システムは、ディスプレイ１２０に、音量アップボタン１１２が触れられているという指示を生成させてもよい。たとえば、図１に示すように、ディスプレイ１２０上に「音量アップボタンに触れています」と記載しているポップアップウィンドウ１２２が表示される。図１に示すように、この指示は、触れられているインタフェースの識別子を含む（すなわち、指示に「音量アップボタン」が含まれている）。したがって、ユーザは、実際にインタフェースを目視することなく、またはその機能を確実に知ることなく、自身が何に触れているかを通知され得る。一実施形態に応じて、デバイス１００がタッチ指示を生成するためにユーザがインタフェースを有効化する（たとえば、音量アップボタン１１２を押下する）必要はない。代替的に、ユーザが音量アップボタン１１２に単に触れるときに指示が生成され得る。一実施形態に応じて、ユーザが電極搭載インタフェースのうちの他のインタフェース１１０、１１１、１１３〜１１５に触れるときに類似の指示が生成されてもよいが、それらの指示は「音量アップボタン」の識別子ではなく、それらのそれぞれのインタフェースの識別子を示す。
【００１６】
他の実施形態において、デバイス１００は、ユーザがインタフェースに触れていることの異なるタイプの指示を提供してもよい。たとえば、デバイス１００は、インタフェースが触れられていることのグラフィック表現であって、説明文付き、または説明文無しのグラフィック表現をディスプレイ１２０に表示させてもよい。代替的に、たとえば、限定を目的とはしないが、デバイス１００は、インタフェースが触れられていることの可聴指示または振動指示を生成してもよい。可聴指示の場合、たとえば、デバイス１００は、指示を言語によって出力してもよい（たとえば、「音量アップボタンに触れています」と発するように処理システムはスピーカを制御してもよい）。代替的に、デバイス１００は、可聴音または他の信号を出力してもよい。また他の実施形態において、デバイス１００は、インタフェースに関連付けられている光（たとえば、発光ダイオード）を照明してもよく、または、インタフェースが触れられていることの任意の他の指示を生成してもよい。さまざまな指示のいずれもが、任意の特定のインタフェースが触れられているかを識別する情報を含んでもよく、または含まなくてもよい。
【００１７】
図１のデバイス１００は、たとえば、携帯電話であってもよい。代替の実施形態において、１つ以上の電極搭載インタフェースは、限定されるものではないが、テレビ受像機、セット・トップ・ボックス、視聴覚機器（たとえば、ＤＶＤプレーヤ、アンプ、信号セレクタなど）、無線機、デスクトップおよびラップトップコンピュータ、タブレット・コンピュータ・デバイス、ポータブル・エンターテインメント・デバイス（たとえば、音楽プレーヤおよびビデオプレーヤ）、携帯情報端末（ＰＤＡ）、電子ゲームデバイス、電子ゲームコンソール、遠隔制御デバイス、制御コンソール、電化製品などを含む他のタイプのポータブルまたは非ポータブル電子デバイス内に含まれてもよい。基本的に、電極搭載インタフェースおよびそれらの関連タッチセンサは、適切な処理機能、および人間知覚可能指標を生成するのに適した１つ以上のデバイスを含む任意の電子デバイス内に含まれてもよい。
【００１８】
図２は、一例の実施形態に応じた、デバイス筐体２０２の外部に露出した１つ以上の電極搭載インタフェース２１０、２１１、２１２、２１３、２１４、２１５、２１６、２１７、２１８、２１９、２２０、２２１を含むデバイス２００の一例の背面図を示し、図３は、図２のデバイス２００の正面図を示す。加えて、デバイス２００の示されている外観図には図示されていないが、デバイス２００は、インタフェース２１０〜２２１に結合されている１つ以上のタッチセンサ、および、該タッチセンサによって生成される信号を処理する処理システムも含む。タッチセンサから受信される信号に基づいて、処理システムは、出力デバイス（たとえば、ディスプレイ３２０）に、インタフェース２１０〜２２１のうちの１つ以上が触れられていることの指示（たとえば、指示３２２、３２４）を生成させてもよい。
【００１９】
たとえば、デバイス２００はデスクトップコンピュータまたはテレビ受像機であってもよいが、前述のように、本発明の主題の実施形態はまた、他のタイプのデバイスにおいて実装されることもできる。デバイス２００の電極搭載インタフェース２１０〜２２１は、電源ボタン２１０、カードスロット２１１、ヘッドフォンジャック２１２、マイクロフォンジャック２１３、オーディオ／ビデオ・ケーブル・コネクタ２１４、電源コネクタ２１５、同軸ケーブルコネクタ２１６、ビデオ／オーディオ・ケーブル・コネクタ２１７、ユニバーサル・シリアル・バス（ＵＳＢ）ポート２１８、イーサネット（登録商標）ポート２１９、および２つの高精細度マルチメディアインタフェース（ＨＤＭＩ）ポート２２０、２２１を含む。他の実施形態において、デバイスは、これらのタイプのインタフェースのうちの任意の複数のインタフェース、および／または１つ以上の他のタイプの電極搭載インタフェース（たとえば、他のタイプの入出力ポート、受信機ポート（たとえば、赤外線受信器）など）を含んでもよい。
【００２０】
電極搭載インタフェース２１０〜２２３の各々は、電極として、または電極の一部分として機能し得る１つ以上の導電性構造体を含む。さまざまな実施形態において、電極搭載インタフェースの導電性構造体は、インタフェース内に完全に収容されてもよく（たとえば、導電性構造体は、ボタン、スロット、ジャック、Ｉ／Ｏポート、電源コードコネクタ、もしくは他のインタフェース内に含まれてもよく、またはその全部もしくは一部分を形成してもよい）、または導電性構造体は、インタフェースの一部分に近接してもよい（たとえば、導電性構造体は、ボタン、スロット、ジャック、Ｉ／Ｏポート、電源コードコネクタ、もしくは他のインタフェースを取り囲んでもよく、またはそれに隣接して位置してもよい）。いずれの場合においても、インタフェースは導電性構造体および電極を「含む」と考えられる。代替的に、電極は、物理的かつ電気的に結合されている複数の導電性構造体（下記「複合導電性構造体」と称する）を含んでもよく、１つの導電性構造体がインタフェース内に含まれており、１つ以上のさらなる導電性「拡張構造体」が、インタフェース内に含まれているその導電性構造体に物理的かつ電気的に結合されている。そのような実施形態において、「電極」は、拡張構造体を含むとともにインタフェース内に含まれている導電性構造体を含むとみなされてもよい。たとえば、電極搭載インタフェース２１０〜２２３に結合されるケーブル、コード、カード、または他の品目は、（たとえば、ケーブル、コード、カード、または他の品目がインタフェースに結合されるとき）インタフェース内に含まれている導電性構造体に物理的かつ電気的に結合する１つ以上の拡張構造体を含んでもよい。たとえば、ＨＤＭＩポート２２１は、第１の導電性構造体を含む電極搭載インタフェースであってもよい。ＨＤＭＩケーブル２２３の一方の端部にあるコネクタまたはプラグ２２２がＨＤＭＩポート２２１に結合されるとき、ＨＤＭＩポート２２１内の導電性構造体は、プラグ２２２、ケーブル２２３、および逆のプラグ２２４内の導電性拡張構造体に物理的かつ電気的に結合されてもよい。ＨＤＭＩポート２２１内の導電性構造体および拡張構造体の両方で「電極」を備えるとみなされてもよく、デバイス２００のタッチセンサによってその電気的特性が検知されてもよい。より具体的な例として、ＨＤＭＩポート２２１は、電極の一部分（たとえば、ＨＤＭＩポート２２１内に含まれている導電性構造体）を形成する導電性シールド構造体（たとえば、シールド構造体４１４、図４）を含んでもよく、ＨＤＭＩケーブル２２３がＨＤＭＩポート２２１に差し込まれると、プラグ２２２、２２４およびケーブル２２３の電気的に結合されたシールド構成要素が、電極のさらなる部分（たとえば、導電性拡張構造体）を形成してもよい。複合導電性構造体の任意の部分が触れられると（ケーブル２２３の導電性部分の上の絶縁体など、導電性構造体のうちの１つを被覆する絶縁体を通じて触れられることを含む）、複合導電性構造体（または電極）の電気的特性が影響を受け得る。たとえば、ＨＤＭＩケーブル２２３がユーザの手２３２によって掴まれると、プラグ２２２、２２４、ケーブル２２３、およびコネクタ２２１から成る結合導電性構造体から形成されている電極の電気的特性が影響を受け得る。複合導電性構造体の一例が上記でシールド構造体を含むように説明されているが、複合導電性構造体は代替的に、インタフェースに結合されている装置の対応する信号線、電力線、またはグランド線とともに、インタフェースの信号コネクタ、電源コネクタ、またはグランドコネクタを含み得る。たとえば、複合導電性構造体の第１の部分は、インタフェースのピンまたはピンレセプタクル（インタフェース・ピン・コネクタと称される）を含んでもよく、複合導電性構造体の第２の部分は、インタフェース・ピン・コネクタに接続するケーブルまたはコード内の導電線を含んでもよい。同様に、電極搭載インタフェースの他のインタフェース２１０〜２２０の電気的特性も、インタフェース自体、もしくはインタフェースに結合されているケーブル、カード、または他の装置に対するタッチによって影響を受けてもよい。たとえば、指先２３０によって、人間であるユーザはデバイス２００の電極搭載スロット２３０（または任意の他の電極搭載インタフェース）に触れてもよく、そのタッチがスロット２３０の電極として機能する導電性構造体の電気的特性に影響を与えてもよい。
【００２１】
一実施形態に応じて、デバイス２００内の１つ以上のタッチセンサが、電極搭載インタフェース２１０〜２２１の導電性構造体に結合されている。該センサは、導電性構造体の可変電気的特性（たとえば、キャパシタンス、インダクタンス、抵抗、磁場など）を検知してもよい。検知された電気的特性がタッチの特性であるとき、センサは、タッチ状態を示す信号をデバイス２００の処理システムに送信してもよい。次いで、処理システムは、ディスプレイ３２０（図３）に、インタフェース２１０〜２２１（またはインタフェースに接続されているケーブルもしくはコード）が触れられているという指示を生成させてもよい。たとえば、図２および図３に示されている例において、スロット２１１およびＨＤＭＩケーブル２２３の両方が触れられることによって、「ＨＤＭＩ２ポートに触れています」および「ＳＸＤＣカードスロットに触れています」と記載しているポップアップウィンドウ３２２、３２４の形態の複数の指示がディスプレイ３２０上に表示される。図３に示すように、指示は、触れられているインタフェースの識別子を含む（すなわち、指示に「ＨＤＭＩ２ポート」および「ＳＸＤＣカードスロット」が含まれている）。加えて、インタフェースの識別子は、スロット２１１およびＨＤＭＩポート２２１のアイコン表現３２６、３２８によってグラフィックで描画される。したがって、図１のシステム１００と同様に、ユーザは、実際にインタフェースを目視することなく、またはそのタイプを知ることなく、自身が何に触れているかを通知され得る。一実施形態に応じて、ユーザが電極搭載インタフェースのうちの他のインタフェース２１０、２１２〜２２０に触れるときに類似の指示が生成されてもよいが、それらの指示はそれらのそれぞれのインタフェースの識別子を示す。
【００２２】
他の実施形態において、デバイス２００は、ユーザがインタフェースに触れていることの異なるタイプの指示を提供してもよい。たとえば、デバイス２００は、ディスプレイ２３０上にアイコンを出現させ、色を変化させ、または点滅させてもよい。代替的に、デバイス２００は、インタフェースが触れられていることの可聴指示を生成してもよい。可聴指示の場合、たとえば、デバイス２００は、指示を言語によって出力してもよい（たとえば、処理システムは「ＨＤＭＩ２ポートに触れています」または「ＳＸＤＣカードスロットに触れています」と発するように音声出力デバイスを制御してもよい）。代替的に、デバイス２００は、可聴音または他の信号を出力してもよい。また他の実施形態において、デバイス２００は、インタフェースに関連付けられている光（たとえば、発光ダイオード）を照明してもよく、または、インタフェースが触れられていることの任意の他の指示を生成してもよい。また他の実施形態において、デバイス２００は、インタフェースが触れられていることを示す振動を生成してもよい。さまざまな指示のいずれもが、任意の特定のインタフェースが触れられているかを識別する情報を含んでもよく、または含まなくてもよい。
【００２３】
前述のように、電極搭載インタフェースは、インタフェースの一部分に近接している（たとえば、インタフェースの一部分を取り囲んでいるか、もしくはそれに隣接して位置している）か、インタフェース内に完全に収容されているか、または、インタフェースに物理的かつ電気的に結合されている拡張構造体を含む導電性構造体を含んでもよい。前述のタイプの電極搭載インタフェースの一例として、図４は、一例の実施形態に応じた、インタフェース４１０の他の部分を取り囲む電極４１２を含む電極搭載インタフェース４１０を示す。電極搭載インタフェース４１０は、インタフェース４１０がインタフェース自体と統合されているデバイス４００の筐体４０２の外部に露出している（その一部分のみが図４に示されている）。示されている例において、インタフェース４１０はＨＤＭＩポートであり、これは、シールド構造体４１４、複数のピンコネクタ４１６、および電極４１２を含み、当該電極はシールド構造体４１４を取り囲んでいるが、筐体４０２の部分４０４によってシールド構造体４１４から電気的に絶縁されている。
【００２４】
デバイス４００内のタッチセンサは電極４１０に結合されてもよく、センサは、電極４１０の可変電気的特性を検知してもよい。検知された電気的特性がタッチ（たとえば、指先４３０によるタッチ）の特性であるとき、センサは、タッチ状態を示す信号をデバイス４００の処理システムに送信してもよい。次いで、前述のように、処理システムはタッチの人間知覚可能指標が生成されるようにしてもよい。
【００２５】
図４の例は、電極がインタフェースを取り囲んでいる導電性構造体を含む、特定のタイプの電極搭載インタフェース（具体的にはＨＤＭＩポート）を示しているが、本発明の概念は、限定されるものではないが前述したインタフェースを含む複数の異なるタイプのインタフェースにおいて実装され得ることを理解されたい。加えて、電極４１０はインタフェース４１０の他の部分を取り囲むように図示されているが、電極４１０は、インタフェースの他の部分全体を取り囲まなくてもよく、複数の電極がインタフェースの他の部分に近接して配置されてもよく、かつ／または電極は、インタフェースの他の部分（たとえば、シールド構造体４１４、ピンコネクタ４１６、もしくはインタフェース４１０の他の部分）に触れるか、もしくはそれらから形成されてもよい。
【００２６】
図５は、一例の実施形態に応じた、複数の電極搭載インタフェース５１０、５１１、５１２、および、インタフェース５１０〜５１２のうちの１つ以上に関連付けられている電極が触れられているという人間知覚可能指標を生成するための機能を有する電子システムの一部分５００の簡略ブロック図である。電子システム５００の機能は図６に関連しても説明され、当該図面は、一例の実施形態に応じた、電極搭載インタフェースが触れられている可能性があるか否かを検知し、検知されたタッチ状態の人間知覚可能指標を生成するための方法のフローチャートである。基本的に、一実施形態に応じて、ユーザが電極搭載インタフェース５１０〜５１２（または電極搭載インタフェース５１２に接続されている拡張構造体５１４）に触れると、システム５００は、インタフェース５１０〜５１２の電極を形成する導電性構造体（複数の場合もあり）の電気的特性が人間によるタッチの特性であると決定してもよく、システム５００は、その旨の人間知覚可能指標を生成してもよい。
【００２７】
システムの部分５００は、携帯電話（たとえば、デバイス１００、図１）、テレビ受像機、セット・トップ・ボックス、視聴覚機器、無線機、デスクトップもしくはラップトップコンピュータ（たとえば、デバイス２００、図２）、タブレット・コンピュータ・デバイス、ポータブル・エンターテインメント・デバイス、ＰＤＡ、電子ゲームデバイス、電子ゲームコンソール、遠隔制御デバイス、制御コンソール、電化製品、またはさまざまな他のタイプの電子デバイスのうちの任意の電子デバイスにおいて組み込まれてもよい。一実施形態に応じて、システム５００は、処理システム５２０、１つ以上の人間知覚可能指標デバイス５３０、タッチ・センサ・サブシステム５４０、および、１〜Ｎ個の電極搭載インタフェース５１０〜５１２を含み、Ｎは整数である（たとえば、１〜２０以上の範囲内の整数）。
【００２８】
電極搭載インタフェース５１０〜５１２の各々は、それ自体が電極として機能するために適しているか、または、導電性構造体が他の導電性拡張構造体（たとえば、ケーブル、コード、カード、または他の品目内の）に結合されているときに電極の一部分として機能するために適した導電性構造体を含む。各インタフェース５１０〜５１２内に含まれている導電性構造体は、前述のように、インタフェースの全部または一部分を形成してもよく、またはインタフェースの一部分に近接してもよい。たとえば、前述のように、電極搭載インタフェース５１０〜５１２は、ボタン、スイッチ、ダイヤル、コネクタ、スロット、ジャック、Ｉ／Ｏポート、電源コードコネクタ、または他のインタフェースの任意の組合せを含んでもよく、電極は、インタフェース５１０〜５１２の導電性構造体から形成されてもよい。図２および図３に関連して記載されたもののようないくつかの場合において、電極搭載インタフェース（たとえば、インタフェース５１２）に関連付けられている複合導電性構造体は、インタフェースの導電性構造体、および、インタフェースの導電性構造体に物理的かつ電気的に結合されている１つ以上のさらなる拡張構造体５１４を含んでもよい（たとえば、拡張構造体５１４は、電極搭載インタフェース５１２に接続されているケーブル、コード、カードまたは他の品目内に含まれてもよい）。そのような場合において、電極搭載インタフェースの電極は、電極搭載インタフェース内の導電性構造体および拡張構造体の両方を含むとみなされてもよい。
【００２９】
電極搭載インタフェース５１０〜５１２の各々の導電性構造体は、充電および測定線５１５、５１６、５１７を通じてタッチ・センサ・サブシステム５２０に電気的に結合されている。各充電および測定線５１５〜５１７は単一の線であるように図示されているが、各単一の線５１５〜５１７は、別個の充電線および別個の測定線を含む一対の線に置き換えられ得る。いずれの場合も、さまざまな実施形態に応じて、充電および測定処理は充電および測定線５１５〜５１７を通じて各電極搭載インタフェース５１０〜５１２に関連付けられている電極ごとに実行される。
【００３０】
図６も参照すると、タッチ・センサ・サブシステム５４０は、電極搭載インタフェース５１０〜５１２の各々に関連付けられている電極ごとに充電、電圧測定、および分析処理を繰り返し実行する（ブロック６０２、図６）。タッチ・センサ・サブシステム５４０は、下記に記載の機能を提供するために相互接続されている１つ以上の集積回路チップ、および／または個別の構成要素を使用して実装されてもよい。タッチ・センサ・サブシステム５４０の特定のアーキテクチャを下記に説明するが、タッチ・センサ・サブシステム５４０はまた、他の実施形態においては、異なって実装されてもよいことを理解されたい。
【００３１】
一実施形態において、タッチ・センサ・サブシステム５４０は、少なくともマルチプレクサ５４２、センサプロセッサ５４４、電流源５４６、およびアナログ−デジタル変換器（ＡＤＣ）５４８を含む。動作中、センサプロセッサ５４４は、選択信号をマルチプレクサ５４２に提供することによって、監視するための第１の電極（たとえば、電極搭載インタフェース５１０に関連付けられている電極）を選択してもよい。選択信号は、マルチプレクサ５４２が、充電を目的として電流源５４６と選択された電極との間の接続をイネーブルすべきであることを示す。センサプロセッサ５４４は、データストレージ（図示せず）から選択された電極のための充電パラメータを取り出してもよく、充電電流レベルを示す制御信号を制御線を通じて電流源５４６に提供してもよい。加えて、センサプロセッサ５４４は、電流源５４６に上記充電レベルを有する電流をマルチプレクサ５４２に提供させるイネーブル信号を電流源５４６に提供するようにクロック／タイマ（図示せず）を制御してもよい。次いで、マルチプレクサ５４２は、充電および測定線５１５を通じて電極搭載インタフェース５１０に電流を提供する。充電期間が終了すると、クロック／タイマは、電流源５４６にマルチプレクサ５４２への電流の提供を停止させるディセーブル信号を電流源５４６に提供してもよい。
【００３２】
電流の提供が終了すると（たとえば、充電期間の終わりに）、タッチ・センサ・サブシステム５４０は、電極搭載インタフェース５１０の電極の電圧を測定してもよい。たとえば、タッチ・センサ・サブシステム５４０は、充電および測定線５１５を通じて選択された電極に対するアナログ電圧信号にマルチプレクサ５４２がアクセスすることを可能にする他の制御信号をマルチプレクサ５４２に提供することによって、選択された電極の電圧測定を実行してもよい。選択信号は、電極搭載インタフェース５１０に関連付けられている電極上の電圧を検知する目的で、マルチプレクサ５４２に、充電および測定線５１５とＡＤＣ５４８との間の接続を可能にさせる。
【００３３】
ＡＤＣ５４８は、一実施形態に応じて、受信されたアナログ電圧信号を、ＡＤＣカウントとして表されてもよいデジタル値に変換する。言い換えれば、ＡＤＣ５４８は、１つ以上のデジタル値を生成するためにアナログ電圧信号をサンプリングする。次いで、ＡＤＣ５４８はサンプリングされたデジタル値（複数の場合もあり）をセンサプロセッサ５４４に提供する。次いで、電極は放電期間中に０ボルトまで放電されてもよく、同じ選択された電極について１つ以上のさらなる電圧測定値を得るために、処理は１回以上繰り返されてもよい。次いで、センサプロセッサ５４４は、たとえば、タッチイベントが発生したか否か、またはリリースイベントが発生したか否かを決定するために電圧測定値（複数の場合もあり）を評価してもよい（ブロック６０６、図６）。基本的に、該電圧測定値を分析するために、センサプロセッサ５４４は、該電圧測定値を、関連付けられている電極に関する記憶されている基準電圧と比較する。電圧測定値と記憶されている基準電圧との間の差がタッチ検出差分を超えない場合、センサプロセッサ５４４は、電極搭載インタフェース５１０に関連付けられている電極が「非タッチ状態」にあるという決定を行ってもよい。逆に、値と基準電圧との間の差がタッチ検出差分を超える場合、センサプロセッサ５４４は、タッチイベントが発生しており、したがって電極が「タッチ状態」にあるという決定を行ってもよい。タッチ状態にあるとき、センサプロセッサ５４４は、個々の電極についての求められた値と基準電圧との間の比較がリリース基準差分よりも小さい差をもたらすまで充電および測定処理を繰り返し続けてもよい。その時点において、センサプロセッサ５４４は、リリースイベントが発生しており、したがって電極が再び非タッチ状態にあると決定してもよい。
【００３４】
タッチ・センサ・サブシステム５４０は、処理システム５２０と動作可能に結合されている。処理システム５２０は、専用または汎用マイクロプロセッサ、デジタル信号プロセッサ、特定用途向け集積回路（ＡＳＩＣ）、または任意の他のタイプの処理部品を含んでもよい。処理システム５２０およびタッチ・センサ・サブシステム５４０は、通信インタフェース５２２を通じて通信してもよい。一実施形態に応じて、通信インタフェース５２２は、１つ以上の割り込み線および１つ以上の通信線を含んでもよい。たとえば、通信インタフェース５２２は、一実施形態において、集積回路間（Ｉ２Ｃ）通信プロトコルをサポートするための送信手段を含んでもよい。他の実施形態において、通信インタフェース５２２は、シリアル周辺インタフェース（ＳＰＩ）プロトコル、ユニバーサル非同期受信機／送信機（ＵＡＲＴ）プロトコル、または任意の他のタイプのプロセッサ間通信プロトコルをサポートするための送信手段を含んでもよい。
【００３５】
さまざまなタイプの割り込み、制御信号、およびデータが通信インタフェース５２２を通じて転送されてもよい。たとえば、処理システム５２０は通信インタフェース５２２を通じて、タッチ・センサ・サブシステム５４０を起動または停止（たとえば、イネーブルまたはディセーブル）するように適合されている制御信号を、提供してもよい。加えて、タッチ・センサ・サブシステム５４０がタッチイベントまたはリリースイベントを検出すると（ブロック６０４、図６）、タッチ・センサ・サブシステム５４０は通信インタフェース５２２を通じて、タッチイベントまたはリリースイベントの指示を提供してもよい（ブロック６０６、図６）。たとえば、任意のタイプのイベントに応答して、タッチ・センサ・サブシステム５４０は、通信インタフェース５２２を通じて割り込みを提供してもよい。割り込みに応答して、処理システム５２０は、割り込みに関する情報を求める要求（たとえば、割り込みのトリガイベントを記述しているレジスタであって、タッチ・センサ・サブシステム５４０のレジスタを読み出すための要求）を提供してもよい。次いで、タッチ・センサ・サブシステム５４０は、たとえば、電極またはインタフェースの識別子（たとえば、特定の電極搭載インタフェース５１０〜５１２の識別子）およびタッチイベントまたはリリースイベントの指示を示すデータを返してもよい。代替的に、タッチ・センサ・サブシステム５４０によって、電極がタッチ状態にあると決定されたとき、タッチ・センサ・サブシステム５４０は、通信インタフェース５２２を通じて処理システム５２０に信号を送信してもよい。たとえば、信号は、電極搭載インタフェース５１０〜５１２の識別子、および、電極搭載インタフェース５１０〜５１２に関連付けられている電極がタッチ状態にあるという（またはタッチイベントが発生したという）指示を含んでもよい。
【００３６】
いずれの場合も、処理システム５２０が、電極搭載インタフェース５１０〜５１２に関連付けられている電極が触れられているという指示を受信すると、処理システム５２０は、人間知覚可能指標デバイス５３０のうちの１つ以上に、電極搭載インタフェース５１０〜５１２に関連付けられている電極が触れられているという指標を生成させてもよい（ブロック６０８、図６）。たとえば、人間知覚可能指標デバイス５３０は、ディスプレイデバイス５３２、スピーカ５３４、振動デバイス５３６、照明５３８（たとえば、ＬＥＤ）、および／または、人間知覚可能指標を生成することが可能である他のタイプのデバイスのうちの任意のデバイスの１つ以上を含んでもよい。さまざまな実施形態において、前述のように、電極搭載インタフェース５１０〜５１２が触れられているという指標は、触れられているインタフェースの識別子を含んでもよく、指標は、インタフェースが触れられていることを示す表示テキスト、インタフェースを表す表示アイコン、インタフェースが触れられていることを示す可聴音声、他の可聴指示、デバイスの振動、照明光、またはそのような指標の組合せを含んでもよい。
【００３７】
再びタッチ・センサ・サブシステム５４０の機能について言及すると、タッチ・センサ・サブシステム５４０は処理システム５２０に、電極搭載インタフェース５１０〜５１２の電極が非タッチ状態にあることを示す（たとえば、電圧測定値と記憶されている基準電圧との間の差がタッチ検出差分を超えないとき）割り込みおよび／または信号を提供してもよい。タッチ・センサ・サブシステム５４０は、たとえば、そのような決定が行われる都度そのような割り込みもしくは信号を提供してもよく、または、タッチ・センサ・サブシステム５４０は、リリースイベントが検出されたとき（たとえば、電極が以前はタッチ状態にあって、その後電圧測定値と記憶されている基準電圧との間の差がリリース検出差分を超えないと決定されたとき）に割り込みもしくは信号を提供してもよい。処理システム５２０が非タッチ指示を受信すると、処理システム５２０は、タッチの人間知覚可能指標が生成されるのを止めてもよいか、または、処理システム５２０は、そのような人間知覚可能指標が生成するのを中断させてもよいかのいずれかである（ブロック６０８、図６）。
【００３８】
一実施形態によれば、特定の電極に対する（たとえば、電極搭載インタフェース５１０の電極に対する）充電および測定処理が実行された後、次いで、センサプロセッサ５４４は、マルチプレクサ５４２に対する制御信号を通じて他の電極（たとえば、電極搭載インタフェース５１１に関連付けられている電極）を選択してもよく、タッチ・センサ・サブシステム５４０は、次に選択された電極に対して充電および測定処理を繰り返してもよい。この処理は、すべての残りの電極に対して実行されてもよく、このように、電極電圧の監視の第１の反復が完了する。各個々の電極に対する電極電圧の監視の反復が終了すると、センサプロセッサ５４４は、システムの電極の充電および監視のさらなる反復を実行してもよく、これは再び第１の選択電極（たとえば、電極搭載インタフェース５１０に関連付けられている電極）で開始してもよい。
【００３９】
上述の実施形態において、タッチ・センサ・サブシステム５４０は基本的に、マルチプレクサ５４２を使用して複数の電極搭載インタフェース５１０の電極に結合されることができる単一のタッチ・センサ・システム（たとえば、センサプロセッサ５４４、電流源５４６、およびＡＤＣ５４８を含む）を含む。代替の実施形態において、タッチ・センサ・サブシステム５４０は、電極搭載インタフェース５１０〜５１２ごとに別個のタッチ・センサ・システムを含む、複数のタッチ・センサ・システムを含んでもよい。そのような実施形態において、マルチプレクサ５４２はシステムから除外されてもよい。加えて、そのような実施形態において、充電および測定処理は、複数の電極搭載インタフェース５１０〜５１２の電極に対して同時に実行されてもよい。
【００４０】
本発明の主題の原理が特定のシステム、装置、および方法に関連して上記で説明されてきたが、この説明は例示のみを目的として為されており、本発明の主題の範囲に対する限定としてではないことは明瞭に理解されたい。本明細書において述べられ図面内に示されたさまざまな機能または処理ブロックは、ハードウェア、ファームウェア、ソフトウェアまたはそれらの任意の組み合わせにおいて実装されることができる。さらに、本明細書において採用されている表現または専門用語は説明を目的としており、限定ではない。
【００４１】
特定の実施形態の上記の記載は、第三者が、現在の知識を適用することによって、一般的な概念から逸脱することなくさまざまな用途のためにそれを容易に改変および／または適合することができるだけ十分に本発明の主題の一般的性質を公開している。したがって、このような適合および改変は開示されている実施形態の均等物の意図および範囲内にある。本発明の主題は、すべてのこのような代替形態、改変形態、均等物、および変形形態を、添付の特許請求の範囲の精神および広い範囲内に入るものとして包含する。
【図１】
2014174996.tif 000003
【図４】
2014174996.tif 000004
【図２】
2014174996.tif 000005
【図３】
2014174996.tif 000006
【図５】
2014174996.tif 000007
【図６】
2014174996.tif 000008